(57)【特許請求の範囲】
【請求項１】
帳票上に記録された情報を読み取る帳票処理装置において、
積層配置された帳票を供給する帳票供給部と、
前記帳票を搬送路に沿って搬送する搬送機構と、
前記搬送路において前記帳票上に記録された情報を読取る情報読取部とを備え、
前記搬送機構は、取出ローラを積層された前記帳票に接触回転させて前記帳票を一枚ずつ取出す取出手段と、
この取出手段により取出された帳票のスキュー量を検出する検出手段と、
前記スキュー量に基づいて前記取出された帳票のスキューを補正する補正手段とを具備し、
前記補正手段は、振動モータにブラシを取付けた振動ブラシと、
この振動ブラシを搬送方向に対して交差する交差方向に沿って前記帳票に接離させる振動ブラシ駆動部とを具備することを特徴とする帳票処理装置。
【請求項２】
前記補正手段は、前記帳票を挟む少なくとも一対の駆動ローラ及びテンションローラからなるスキュー補正ローラと、
前記スキュー補正ローラの軸心線を前記搬送方向に平行する面内で傾けるローラ軸傾斜機構とを具備することを特徴とする請求項１記載の帳票処理装置。
【請求項３】
前記補正手段は、互いに平行に配置された複数の搬送ベルトと、
これら搬送ベルトの速度を前記スキュー量に基づいて速度差を設定する速度差設定手段とを具備することを特徴とする請求項１記載の帳票処理装置。
【請求項４】
前記取出手段は、前記補正手段による前記帳票のスキューを補正する際に、前記取出ローラを前記帳票から離間させる離間手段を具備することを特徴とする請求項１記載の帳票処理装置。
【発明の詳細な説明】
【０００１】
【発明の属する技術分野】
本発明は、帳票処理装置に関する。
【０００２】
【従来の技術】
帳票処理装置は、近年、文字認識技術の向上により使用される用途が増えている。例えば、銀行、官公庁を始め様々な分野で使用する各種伝票、申込書等の帳票は、従来は処理する人が帳票の内容をコンピュータに入力して所定の処理を行っていた。しかしながら、最近では特開平６−１０７３６４号公報や特開平１１−１７７７８４号公報にて開示されているように、光学的文字認識装置、すなわちＯＣＲ（Ｏｐｔｉｃａｌ  Ｃｈａｒａｃｔｅｒ  Ｒｅａｄｅｒ）を用いて帳票上の文字が読み取られ、コンピュータ内に取り込まれ、読み取った文字が認識され、この認識された文字を元に様々な処理を行っている。
【０００３】
図９はこのような帳票処理装置の一例を示す図である。帳票処理装置１００は筐体１０１を備えている。筐体１０１には、帳票Ｔを供給する帳票供給部１１０と、帳票Ｔを搬送する搬送機構１２０と、この搬送機構１２０により搬送されている帳票Ｔより記録を読み出す情報読取部１３０と、帳票Ｔに印字を行うプリンタ部１４０と、これらを連携制御する制御コンピュータ１５０とが設けられている。なお、図中Ｈは搬送路を示している。
【０００４】
帳票供給部１１０は、ホッパ１１１と、このホッパ１１１に取付けられ帳票Ｔを載置するとともに、帳票Ｔが取り出されていくに従って上方に移動するベース１１２と、ゴム等の材質からなり、ベース１１２上の帳票Ｔを取り出す取出ローラ１１３ａ，１１３ｂと、帳票Ｔを分離するセパレータ１１４とを備えている。
【０００５】
搬送機構１２０は、帳票Ｔを挟んで一定速度で搬送するテンションローラ１２１及びドライブローラ１２２と、帳票Ｔが排出されるスタッカ１２３とを備えている。
【０００６】
情報読取部１３０は、光源１３１ａ，１３１ｂと、リフレクタ１３２と、折り返しミラー１３３，１３４と、レンズ１３５と、ＣＣＤセンサ１３６、１３７とを備えている。
【０００７】
プリンタ部１４０は、ドットプリンタヘッド１４１と、インクリボン１４２と、プラテン１４３とを備えている。
【０００８】
このように構成された帳票処理装置１００では、次のようにして帳票Ｔの読み取りが行われる。すなわち、帳票Ｔが積層された帳票束をベース１１２に載置する。束の一番上の帳票Ｔは、取り出しローラ１１３ａ，１１３ｂが時計回りに回転することにより、帳票Ｔが一枚ずつ取り出されていく。取り出しローラ１１３ａ，１１３ｂによって帳票Ｔが複数枚取り出された場合には、セパレータ１１４で二枚目以降の帳票Ｔが一枚目の帳票Ｔと一緒に取り出されることを防ぐ。取り出された帳票Ｔは、図中矢印Ｒ方向に搬送され、テンションローラ１２１と、ドライブローラ１２２との間で搬送力を受けながら一定速度で搬送される。
【０００９】
帳票Ｔが読取部Ａに到達すると、帳票Ｔ表面に表示される情報の読み取りを開始する。読み取り方法は光源１３１ａ，１３１ｂから照射された光をリフレクタ１３２で読取部Ａに集光させ、読取部Ａの位置にある帳票Ｔの文字に光が照射されると、帳票Ｔからの反射光は折り返しミラー１３３，１３４で折り返されて、レンズ１３５を通りＣＣＤセンサ１３６で結像される。光源１３１ａ，１３１ｂからＣＣＤセンサ１３６までの光路を光路Ｋとする。ＣＣＤセンサ１３６で読み取られた帳票Ｔの情報は、制御コンピュータ１５０に取込まれ文字の認識が行われデータ処理される。
【００１０】
前記一連の動作は帳票Ｔを移動させながら連続して行われる。また帳票Ｔ表面の情報を読み取る際は通常縮小光学系が用いられる。読取部Ａを通過した帳票Ｔが読取部Ｂに到達すると、帳票Ｔ裏面の情報の読み取りを開始する。読取部Ｂでは、縮小光学系が入るスペースがないため密着型のラインＣＣＤセンサ１３７が用いられる。帳票Ｔ裏面の情報を読み取る必要がない場合は、密着型のラインＣＣＤセンサ１３７は不要である。
【００１１】
読取部Ｂを通過した帳票Ｔは、搬送路Ｈに沿って搬送される。搬送路Ｈによって搬送される帳票Ｔは、帳票Ｔから情報を読み取ったことを示す印がプリンタ部１４０において記録される。すなわち、インクリボン１４２とプラテン１４３との間にある帳票Ｔに、所定の文字例えば受付番号または使用者固有の番号などが印字される。印字が終了した帳票Ｔは、矢印の方向に搬送されスタッカ１５０に送られる。この様な動作を帳票Ｔがベース１１２からなくなるまで連続して行われて、読み取り、印字が終了した帳票Ｔはスタッカ１５０に集積される。
【００１２】
【発明が解決しようとする課題】
上述した帳票処理装置には以下のような問題があった。すなわち、同じ種類の帳票Ｔを一枚ずつ取出す場合は問題ないが、様々な大きさ、厚さ、紙質が違う帳票Ｔが混在したものを取出す場合、帳票Ｔの向きは揃って入ないことが多い。これは、ホッパに載せる際にある程度帳票を揃えても、大きさや種類が違った帳票を積層させると帳票間の摩擦係数の違いにより向きを揃えることが困難なためである。
【００１３】
したがって、スキュー（向きが正常な搬送方向からずれた）した帳票Ｔが積層された状態から一枚ずつ取り出される場合がある。このとき従来の装置ではスキュー補正を行う手段がなく、スキュー量が大きい帳票Ｔの場合文字認識ができなくなる虞があった。
【００１４】
そこで本発明は、大きさ、厚さ、紙質が違う帳票Ｔが混在した場合であっても簡単な機構で確実にスキュー補正を行うことが可能な帳票処理装置を提供することを目的としている。
【００１５】
【課題を解決するための手段】
前記課題を解決し目的を達成するために、本発明の帳票処理装置は次のように構成されている。
【００１６】
（１）帳票上に記録された情報を読み取る帳票処理装置において、積層配置された帳票を供給する帳票供給部と、前記帳票を搬送路に沿って搬送する搬送機構と、前記搬送路において前記帳票上に記録された情報を読取る情報読取部とを備え、前記搬送機構は、取出ローラを積層された前記帳票に接触回転させて前記帳票を一枚ずつ取出す取出手段と、この取出手段により取出された帳票のスキュー量を検出する検出手段と、前記スキュー量に基づいて前記取出された帳票のスキューを補正する補正手段とを具備し、前記補正手段は、振動モータにブラシを取付けた振動ブラシと、この振動ブラシを搬送方向に対して交差する交差方向に沿って前記帳票に接離させる振動ブラシ駆動部とを具備することを特徴とする。
【００１８】
（２）前記（１）に記載された帳票処理装置であって、前記補正手段は、前記帳票を挟む少なくとも一対の駆動ローラ及びテンションローラからなるスキュー補正ローラと、前記スキュー補正ローラの軸心線を前記搬送方向に平行する面内で傾けるローラ軸傾斜機構とを具備することを特徴とする。
【００１９】
（３）前記（１）に記載された帳票処理装置であって、前記補正手段は、互いに平行に配置された複数の搬送ベルトと、これら搬送ベルトの速度を前記スキュー量に基づいて速度差を設定する速度差設定手段とを具備することを特徴とする。
【００２０】
（４）前記（１）に記載された帳票処理装置であって、前記取出手段は、前記補正手段による前記帳票のスキューを補正する際に、前記取出ローラを前記帳票から離間させる離間手段を具備することを特徴とする。
【００２１】
【発明の実施の形態】
図１は本発明の第１の実施の形態に係る帳票処理装置の構成を示す図、図２の（ａ）は、同帳票処理装置に組み込まれた補正装置６０を示す平面図、図２の（ｂ）は、同補正装置６０を示す正面図、図２の（ｃ）は、同補正装置６０の側面図である。
【００２２】
帳票処理装置１は、筐体２を備えている。筐体２には、帳票Ｔを供給する帳票供給部１０と、帳票Ｔを搬送する搬送機構２０と、この搬送機構２０により搬送されている帳票Ｔより記録を読み出す情報読取部３０と、帳票Ｔに印字を行うプリンタ部４０と、これらを連携制御する制御コンピュータ５０と、帳票供給部１０と搬送機構２０との間に配置され、供給された帳票Ｔのスキューを補正する補正装置６０とが設けられている。なお、図中Ｈは搬送路を示している。
【００２３】
帳票供給部１０は、ホッパ１１と、このホッパ１１に取付けられ帳票Ｔを載置するとともに、帳票Ｔが取り出されていくに従って上方に移動するベース１２と、ゴム等の材質からなり、ベース１２上の帳票Ｔを取り出す取出ローラ１３ａ，１３ｂと、帳票Ｔを分離する分離パッド１４とを備えている。
【００２４】
搬送機構２０は、帳票Ｔを挟んで一定速度で搬送するテンションローラ２１及びドライブローラ２２と、帳票Ｔが排出されるスタッカ２３とを備えている。
【００２５】
情報読取部３０は、光源３１ａ，３１ｂと、リフレクタ３２と、折り返しミラー３３，３４と、レンズ３５と、ＣＣＤセンサ３６、３７とを備えている。なお、図１中Ａ，Ｂは読取位置を示している。
【００２６】
プリンタ部４０は、は、ドットプリンタヘッド４１と、インクリボン４２と、プラテン４３とを備えている。
【００２７】
補正装置６０は、帳票Ｔの奥行き方向に沿って複数個設置され、帳票Ｔの位置を検出することで帳票Ｔのスキュー量あるいはスキュー角を測定する複数組の位置センサ６１，６２と、搬送ベルト６３と、この搬送ベルト６３に対向配置された複数の振動ブラシ６４と、側壁６５とを備えている。
【００２８】
位置センサ６１，６２は、それぞれ発光部６１ａ及び受光部６１ｂ、発光部６２ａ及び受光部６２ｂとを備えている。位置センサ６１は、光路上に帳票Ｔがないときは光が受光部６１ｂで検出でき、帳票Ｔがあるときは検出できないことを利用して帳票Ｔの位置検知を行うように構成されている。なお、スキュー補正された帳票Ｔのスキュー量は、位置センサ６２により同様にして確認できるようになっている。
【００２９】
振動ブラシ６４は、駆動電圧がＣＤ５（Ｖ）程度で５，０００ｒｐｍ〜７，０００ｒｐｍ程度の回転数が得られる振動モータ６４ａと、例えばナイロンを主成分とし、静電気を除去できる材質のブラシ６４ｂとを備えている。
【００３０】
このように構成された帳票処理装置１では、次のようにして帳票Ｔの読み取りが行われる。すなわち、帳票Ｔが積層された帳票束をベース１２に載置する。束の一番上の帳票Ｔは、取り出しローラ１３ａ，１３ｂが時計回りに回転することにより、帳票Ｔが一枚ずつ取り出され、搬送ベルト６３上に供給される。なお、取り出しローラ１３ａ，１３ｂによって帳票Ｔが複数枚取り出された場合には、分離パッド１４で二枚目以降の帳票Ｔが一枚目の帳票Ｔと一緒に取り出されることを防ぐ。
【００３１】
補正装置６０では、位置センサ６１によりスキュー量を測定し、スキュー量が所定の読取りに支障がないスキュー量の場合はそのまま読取位置Ａ方向に搬送する。スキュー量が所定の量より大きい場合、帳票Ｔは搬送ベルト６３上で振動ブラシ６４によりスキュー補正が行われる。
【００３２】
搬送ベルト６３に送られた帳票Ｔは、帳票の先端が位置センサ６１を抜けたときに検知されるスキュー量を測定し、所定のスキュー量より大きい場合に振動ブラシ６４を帳票Ｔの搬送方向に対して垂直方向に振動させることにより、帳票Ｔの表面を接触及び離間を繰返すことによりスキュー補正を行う。振動ブラシ６４を動作させるタイミングは、帳票Ｔの先端が位置センサ６２に達したときにはまだ帳票の後端は取出ローラ１３ａ，１３ｂにあるため、帳票Ｔの後端が位置センサ６１を通過後に振動ブラシ６４を作動させ、帳票Ｔの先端が搬送機構２０に入る前までにスキュー補正を終了させるようにしている。
【００３３】
スキュー補正の際、帳票Ｔは側壁６５にまず帳票Ｔの角が当たり、次に側壁に沿って帳票Ｔがならうため搬送方向と平行になるようにスキュー補正できる。従って、様々な向きを向いた帳票Ｔに対しても同様にスキュー補正が可能となる。
【００３４】
なお、ここでは位置センサ６１，６２をそれぞれ３組ずつ設置してあるが、これは扱う帳票Ｔの大きさが例えばＡ８〜Ａ３サイズまであり、精度よくスキュー量を測定するためにはそれぞれの帳票の大きさに応じて２組ずつ使用するようにした方がよいからである。このため、ここでは３組用いているが複数組あれば何組設置していてもよい。
【００３５】
スキューが補正された帳票Ｔは、図中矢印Ｒ方向に搬送され、テンションローラ２１と、ドライブローラ２２との間で搬送力を受けながら一定速度で搬送される。
【００３６】
帳票Ｔが読取位置Ａに到達すると、帳票Ｔ表面に表示される情報の読み取りを開始する。読み取り方法は光源３１ａ，３１ｂから照射された光をリフレクタ３２で読取位置Ａに集光させ、読取位置Ａの位置にある帳票Ｔの文字に光が照射されると、帳票Ｔからの反射光は折り返しミラー３３，３４で折り返されて、レンズ３５を通りＣＣＤセンサ３６で結像される。光源３１ａ，３１ｂからＣＣＤセンサ３６までの光路を光路Ｋとする。ＣＣＤセンサ３６で読み取られた帳票Ｔの情報は、制御コンピュータ５０に取込まれ文字の認識が行われデータ処理される。
【００３７】
前記した一連の動作は帳票Ｔを移動させながら連続して行われる。また帳票Ｔ表面の情報を読み取る際は通常縮小光学系が用いられる。読取位置Ａを通過した帳票Ｔが読取位置Ｂに到達すると、帳票Ｔ裏面の情報の読み取りを開始する。読取位置Ｂでは、縮小光学系が入るスペースがないため密着型のラインＣＣＤセンサ３７が用いられる。帳票Ｔ裏面の情報を読み取る必要がない場合は、密着型のラインＣＣＤセンサ３７は不要である。
【００３８】
読取位置Ｂを通過した帳票Ｔは、搬送路Ｈに沿って搬送される。搬送路Ｈによって搬送される帳票Ｔは、帳票Ｔから情報を読み取ったことを示す印がプリンタ部４０において記録される。すなわち、インクリボン４２とプラテン４３との間にある帳票Ｔに、所定の文字例えば受付番号または使用者固有の番号などが印字される。印字が終了した帳票Ｔは、矢印の方向に搬送されスタッカ２３に送られる。この様な動作を帳票Ｔがベース１２からなくなるまで連続して行われて、読み取り、印字が終了した帳票Ｔはスタッカ２３に集積される。
【００３９】
上述したように本第１の実施の形態に係る帳票処理装置１によれば、補正装置６０により帳票Ｔのスキューを補正するようにしているので、大きさ、厚さ、紙質が違う帳票Ｔが混在し、方向が揃わない状態で入ってきた帳票Ｔであっても文字認識等を適切に行うことができる。また、帳票Ｔの表面を振動ブラシ６４により押すだけの簡単な機構でスキューを補正できるので、複雑な機構が必要ない。
【００４０】
さらに、帳票Ｔに与える負荷が小さい振動ブラシ６４を用いているので、ノーカーボン紙や帳票の裏にカーボンが塗布してある裏カーボン紙等の汚れが付着しやすい帳票、あるいは債権、商品券等の汚すのが厳禁な物に対しても汚すことを防止することができる。
【００４１】
図３〜図５は、本発明の第２の実施の形態に係る帳票処理装置１に組み込まれた補正装置７０を示す図であって、図３は帳票を取り出した直後の状態を示した平面図、図４はその正面図である。なお、これらの図中、図１と同一機能部分には同一符号を付し、その詳細な説明は省略する。
【００４２】
補正装置７０は、帳票Ｔの奥行き方向に沿って複数個設置され、帳票Ｔの位置を検出することで帳票Ｔのスキュー量あるいはスキュー角を測定する複数組の位置センサ７１，７２と、搬送ローラ７３，７４と、スキュー補正機構７５とを備えている。
【００４３】
位置センサ７１，７２は、それぞれ発光部７１ａ及び受光部７１ｂ、発光部７２ａ及び受光部７２ｂとを備えている。位置センサ７１は、光路上に帳票Ｔがないときは光が受光部７１ｂで検出でき、帳票Ｔがあるときは検出できないことを利用して帳票Ｔの位置検知を行うように構成されている。なお、スキュー補正された帳票Ｔのスキュー量は、位置センサ７２により同様にして確認できるようになっている。
【００４４】
スキュー補正機構７５は、図５に示すように、その軸心線Ｐ１，Ｐ２が帳票Ｔの搬送方向Ｒに平行であるテンションローラ７６及び駆動ローラ７７と、これらテンションローラ７６及び駆動ローラ７７の向きを変える補正部７８と、駆動ローラ７７に駆動力を与える駆動部７９とを備えている。なお、テンションローラ７６は、ローラ軸支部７６ａにより図中Ｃ軸回りに回動可能に支持されており、駆動ローラ７７は、ローラ軸支部７７ａにより図中Ｃ軸回りに回動可能に支持されている。
【００４５】
補正部７８は、補正用モータ７８ａの回転力をローラ軸支部７６ａに伝達するための、タイミングプーリ７８ｂ、タイミングベルト７８ｃ、タイミングプーリ７８ｄ、シャフト７８ｅ、タイミングプーリ７８ｆ、タイミングベルト７８ｇ、タイミングプーリ７８ｈを備えている。また、補正用モータ７８ａの回転力をローラ軸支部７７ａに伝達するための、タイミングプーリ７８ｊ、タイミングベルト７８ｋ、タイミングプーリ７８ｍを備えている。
【００４６】
駆動部７９は、駆動用モータ７９ａと、駆動プーリ７９ｂと、ローラ７７と駆動プーリ７９ｂとの間に掛け渡された駆動用ベルト７９ｃとを備えている。
【００４７】
このように構成された補正装置７０では、次のようにして帳票Ｔのスキューが補正される。位置センサ７１によりスキュー量を測定し、スキュー量が所定の読取りに支障がないスキュー量の場合はそのまま読取位置Ａ方向に搬送する。スキュー量が所定の量より大きい場合、帳票Ｔの先端がテンションローラ７６及び駆動ローラ７７で挟持された後、帳票Ｔの後端が位置センサ７１を通過した後、測定されたスキュー量に応じてテンションローラ７６及び駆動ローラ７７を図３の矢印Ｍ方向に回転させることによりスキュー補正を行う。スキューが補正されたかどうかは、位置センサ７２により検知でき、スキュー補正ができなかった場合は読取を行わずに排出される。
【００４８】
なお、スキュー補正が終了したらスキュー補正ローラ１０は直ちに元の水平方向に戻るようにし、次の帳票のスキュー補正がスムーズに行えるように制御している。また、ここでは一対のローラでスキュー補正を行うようにしているが、複数対のローラで行っても同様の効果が得られることは言うまでもない。
【００４９】
上述したように本実施の形態に係る補正装置７０によれば、補正装置６０と同様の効果が得られるとともに帳票Ｔを搬送する方向にも回転力を与えているため、帳票Ｔを搬送させながらスキュー補正を行うことができる。
【００５０】
図６は、本発明の第３の実施の形態に係る帳票処理装置１に組み込まれた補正装置８０を示す図である。
【００５１】
補正装置８０は、帳票Ｔの奥行き方向に沿って複数個設置され、帳票Ｔの位置を検出することで帳票Ｔのスキュー量あるいはスキュー角を測定する複数組の位置センサ８１，８２と、互いに平行に配置された第１の搬送ベルト８３及び第２の搬送ベルト８４と、これらをそれぞれ独立して駆動する第１の駆動機構８５及び第２の駆動機構８６とを備えている。
【００５２】
位置センサ８１，８２は、それぞれ発光部８１ａ及び受光部８１ｂ、発光部８２ａ及び受光部８２ｂとを備えている。位置センサ８１は、光路上に帳票Ｔがないときは光が受光部８１ｂで検出でき、帳票Ｔがあるときは検出できないことを利用して帳票Ｔの位置検知を行うように構成されている。なお、スキュー補正された帳票Ｔのスキュー量は、位置センサ８２により同様にして確認できるようになっている。
【００５３】
第１の搬送ベルト８３は、一対のシャフト８３ａ，８３ｂと、これらシャフト８３ａ，８３ｂにそれぞれ設けられたプーリ８３ｃ，８３ｄと、これらプーリ８３ｃ，８３ｄに掛け渡されたベルト８３ｅ，８３ｆと、タイミングプーリ８３ｇとを備えている。
【００５４】
第２の搬送ベルト８４は、一対のシャフト８４ａ，８４ｂと、これらシャフト８４ａ，８４ｂにそれぞれ設けられたプーリ８４ｃ，８４ｄと、これらプーリ８４ｃ，８４ｄに掛け渡されたベルト８４ｅと、タイミングプーリ８４ｆとを備えている。
【００５５】
第１の駆動部８５は、駆動モータ８５ａと、タイミングプーリ８５ｂと、タイミングプーリ８３ｇとタイミングプーリ８５ｂとの間に掛け渡されたタイミングベルト８５ｃとを備えている。
【００５６】
第２の駆動部８６は、駆動モータ８６ａと、タイミングプーリ８６ｂと、タイミングプーリ８４ｆとタイミングプーリ８６ｂとの間に掛け渡されたタイミングベルト８６ｃとを備えている。
【００５７】
このように構成された補正装置８０では、次のようにして帳票Ｔのスキューが補正される。帳票Ｔが図６に示すようにスキューして取出された場合、まず位置センサ８１でスキュー量を測定する。この場合、手前の側壁側が遅れて取出されているため、第２の搬送ベルト８４の搬送速度Ｖ２を第１の搬送ベルト８３の搬送速度Ｖ１よりスキュー量に応じた分だけ速く搬送させることによりスキュー補正が可能となる。なお、搬送ベルト８３，８４に速度差をつけるのは帳票Ｔの後端が位置センサ８１を通過後に行うようにするのが望ましい。スキューが補正されたかどうかが位置センサ８２により測定された後、テンションローラ２１及びドライブローラ２２により読取位置Ａへ送られる。
【００５８】
上述したように、本実施の形態に係る補正装置８０は、搬送ベルト８３，８４に速度差をつけることで、帳票Ｔのスキューを補正することが可能となる。
【００５９】
図７及び図８は、本発明の第４の実施の形態に係る帳票処理装置１に組み込まれた供給機構９０及び補正装置９４とを示す図である。
【００６０】
供給機構９０は、搬送ベルト部９１と、バックアップ部９２と、分離機構９３とを備えている。
【００６１】
搬送ベルト部９１は、プーリ９１ａ，９１ｂと、これらプーリ９１ａ，９１ｂ間に掛け渡されたベルト９１ｃとを備えている。バックアップ部９２は、レール９２ａと、このレール９２ａに案内されて往復動するローラ９２ｂ，９２ｃと、これらローラ９２ｂ，９２ｃに支持されたバックアップ板９２ｄと、帳票Ｔを案内するガイド９２ｅとを備えている。分離機構９３は、ピックアップローラ９３ａと、取出ローラ９３ｂと、分離ローラ９３ｃと、取出ローラ９３ｂを図８中矢印Ｇ方向に上下動させるソレノイド９３ｄとを備えている。
【００６２】
補正装置９４は、帳票Ｔの位置を検出することで帳票Ｔのスキュー量あるいはスキュー角を測定する複数組の位置センサ９５，９６，９７と、搬送ローラ９８と、スキュー補正ローラ９９とを備えている。
【００６３】
位置センサ９５，９６，９７は、それぞれ発光部９５ａ及び受光部９５ｂ、発光部９６ａ及び受光部９６ｂと、発光部９７ａ及び受光部９７ｂと備えている。位置センサ９５は、光路上に帳票Ｔがないときは光が受光部９５ｂで検出でき、帳票Ｔがあるときは検出できないことを利用して帳票Ｔの位置検知を行うように構成されている。なお、スキュー補正された帳票Ｔのスキュー量は、位置センサ９７により同様にして確認できるようになっている。
【００６４】
このように構成された補正装置８０では、次のようにして帳票Ｔが取り出されるとともに、スキューが補正される。すなわち、搬送ベルト部９１により、帳票Ｔが搬送されるとともに、ベルト９１ｃと同じ速度で移動するローラ９２ｂ，９２ｃによりバックアップ板９２ｄが前方に移動する。これによりピックアップローラ９３ａによる帳票Ｔの取り出しが円滑に行われる。次に、取出ローラ９３ｂにより帳票Ｔを一枚ずつ取り出し、分離ローラ９３ｃにより一枚ずつ帳票を分離して取り出しを行う。帳票Ｔが減った分後方からバックアップ板９２ｄで少しずつ押付けられているので、円滑な取り出しが可能となる。なお、搬送ベルト部９１によるベルト９１ｃの移動速度はゆっくりした速度に設定してある。
【００６５】
取出ローラ９３ｂ及び分離ローラ９３ｃで一枚ずつ分離された帳票Ｔは、位置センサ９５により帳票Ｔの先端のスキュー角が測定される。次に、帳票Ｔの先端が位置センサ９６に達したらソレノイド９３ｄを作動させ取出ローラ９３ｂを分離ローラ９３ｃから離し、直ちにスキュー補正ローラ９９でスキュー補正を行う。
【００６６】
スキューが補正されたかどうかが位置センサ９７により測定された後、テンションローラ２１及びドライブローラ２２により読取位置Ａへ送られる。
【００６７】
上述したように本実施の形態に係る供給機構９０及び補正装置９３によれば、例えばサイズの大きい帳票Ｔの場合でもスキュー補正を行うスキュー補正ローラ９９前後のスペースを小さくすることができ、装置全体を小型化することが可能となる。
【００６８】
なお、本実施の形態においては、スキュー補正ローラを用いてスキューを補正する方法について説明したが、振動ブラシや搬送ベルトの速度差を用いたスキュー補正に対しても同様に適用可能である。
【００６９】
なお、本発明は前記実施の形態に限定されるものではなく、本発明の要旨を逸脱しない範囲で種々変形実施可能であるのは勿論である。
【００７０】
【発明の効果】
本発明によれば、簡単な機構で帳票のスキュー補正が可能となり、また、帳票の汚れが発生し難くすることができ、所望の操作性を容易にすることができる。
【図面の簡単な説明】
【図１】本発明の第１の実施の形態に係る帳票処理装置を模式的に示す正面図。
【図２】同帳票処理装置に組み込まれた補正装置を模式的に示す図であって、（ａ）は平面図、（ｂ）は正面図、（ｃ）は側面図。
【図３】本発明の第２の実施の形態に係る帳票処理装置に組み込まれた補正装置を模式的に示す平面図。
【図４】同補正装置を模式的に示す正面図。
【図５】同補正装置を模式的に示す側面図。
【図６】本発明の第３の実施の形態に係る帳票処理装置に組み込まれた補正装置を模式的に示す平面図。
【図７】本発明の第４の実施の形態に係る帳票処理装置に組み込まれた供給装置及び補正装置を模式的に示す平面図。
【図８】同供給装置及び補正装置を模式的に示す正面図。
【図９】従来の帳票処理装置を模式的に示す正面図。
【符号の説明】
１…帳票処理装置
１０…帳票供給部
２０…搬送機構
３０…情報読取部
４０…プリンタ部
５０…制御コンピュータ
６０，７０，８０，９４…補正装置
９０…供給機構
【図１】
0003742308.tif 000002
【図２】
0003742308.tif 000003
【図３】
0003742308.tif 000004
【図４】
0003742308.tif 000005
【図５】
0003742308.tif 000006
【図６】
0003742308.tif 000007
【図７】
0003742308.tif 000008
【図８】
0003742308.tif 000009
【図９】
0003742308.tif 000010